(57)【要約】      （修正有）【課題】例えば首部再建術又はバルーン再形成によって管路内の動脈瘤を再形成するために使用できる閉塞装置を展開するためのシステム及び方法を提供する。【解決手段】システムは、導入シース１０と、閉塞装置１００を支持するためのアセンブリとを備える。アセンブリは、閉塞装置の第１の端部を受けるための閉塞装置保持部材を有する長尺柔軟部材２１と、閉塞装置の第２の端部と係合するための基端側に位置された保持部材と、長尺柔軟部材の一部を取り囲む支持体とを含んでおり、支持体上に閉塞装置を位置させることができる。【選択図】図１
2011147791.tif 000002
【特許請求の範囲】
【請求項１】
閉塞装置を支持して展開するためのシステムであって、
シースと、前記閉塞装置を支持するように構成されたアセンブリとを備え、
前記アセンブリが、前記閉塞装置の第１の端部を受ける閉塞装置保持部材を含む長尺柔軟部材を備え、
前記閉塞装置保持部材が、前記柔軟部材がその長手方向に延びる軸周りに前記シースに対して回転するように前記長尺柔軟部材の基端側に負荷される回転力により、前記長尺柔軟部材から前記閉塞装置を展開するように回転可能に構成されている、システム。
【請求項２】
前記長尺柔軟部材が柔軟な非外傷性チップを有するガイドワイヤを含む、請求項１に記載のシステム。
【請求項３】
前記ガイドワイヤが前記シースに対して長手方向に移動できる、請求項２に記載のシステム。
【請求項４】
前記ガイドワイヤが異なる直径を有する少なくとも２つのセクションを有する、請求項２に記載のシステム。
【請求項５】
前記ガイドワイヤが異なる屈曲のセクションを有する、請求項２に記載のシステム。
【請求項６】
前記閉塞装置保持部材が、前記長尺柔軟部材の回転移動により、前記閉塞装置の展開前に前記閉塞装置の第１の端部を受けて保持するための内側凹部を含み、前記閉塞装置保持部材が前記柔軟部材に固定されている、請求項１に記載のシステム。
【請求項７】
前記閉塞装置の第２の端部と係合するように構成された、基端側に位置する保持部材を更に備え、前記基端側に位置する保持部材が、前記閉塞装置を前記柔軟部材の先端へ向けて付勢する付勢部材を含む、請求項１に記載のシステム。
【請求項８】
前記基端側に位置する保持部材が前記柔軟部材の一部を含む、請求項７に記載のシステム。
【請求項９】
カテーテルを更に備え、該カテーテル内に前記アセンブリ及び前記閉塞装置が位置する、請求項１に記載のシステム。
【請求項１０】
前記閉塞装置保持部材が、前記閉塞装置の前記第１の端部を保護するように構成された部分を含む、請求項１に記載のシステム。
【請求項１１】
前記閉塞装置がステントである、請求項１に記載のシステム。
【請求項１２】
前記ステントが織物の浸透性ステントである、請求項１１に記載のシステム。
【請求項１３】
前記ステントが自己拡張型ステントである、請求項１１に記載のシステム。
【請求項１４】
前記柔軟部材の一部に沿って延び且つ前記閉塞装置の内面と係合するように構成された外面を有する支持体を更に備える、請求項１に記載のシステム。
【請求項１５】
前記支持体が前記柔軟部材の一部を取り囲んでいる、請求項１４に記載のシステム。
【請求項１６】
前記支持体が長尺コイルを備える、請求項１４に記載のシステム。
【請求項１７】
前記閉塞装置が前記支持体に対して移動できる、請求項１４に記載のシステム。
【請求項１８】
前記閉塞装置保持部材が、前記柔軟部材の外面から前記支持体の外面よりも遠くへ延びる外面を有する、請求項１４に記載のシステム。
【請求項１９】
前記閉塞装置保持部材が保護コイルを備える、請求項１に記載のシステム。
【請求項２０】
前記保護コイルが、前記保護コイルの内側の中で前記閉塞装置の第１の端部を受ける、請求項１９に記載のシステム。
【発明の詳細な説明】
【発明の分野】
【０００１】
[01]本発明は、一般に、管路内に医療装置を供給して展開するためのシステム及び方法に関し、特に、動脈瘤、特に脳動脈瘤を閉鎖して塞ぐために患者の脈管構造内に管腔内治療装置を供給して展開するシステム及び方法に関する。
【発明の背景技術】
【０００２】
[02]脈管構造の壁、特に動脈壁は、動脈瘤と呼ばれる病的拡張領域を発現する場合がある。良く知られているように、動脈瘤は、破裂し易い薄くて弱い壁を有する。動脈瘤は、病気、怪我又は先天的異常によって血管壁が弱められた結果であるということができる。動脈瘤は身体の様々な部分で見出すことができ、最も一般的なものが神経脈管構造内の脳動脈瘤及び腹部大動脈瘤である。動脈瘤の弱まった壁が破裂すると、特にそれが脳動脈瘤の破裂である場合には、死に至る可能性がある。
【０００３】
[03]動脈瘤は、一般に、血管の弱まった部分を動脈循環から排除することにより処置される。脳動脈瘤を処置するため、そのような補強は、（i）動脈瘤の基部の周囲に金属クリップが固定される外科的クリッピング、（ii）小さい柔軟なワイヤコイル（マイクロコイル）を用いて動脈瘤を包む（iii）塞栓性材料を使用して動脈瘤を「満たす」、（iv）取り外し可能なバルーン又はコイルを使用して動脈瘤を与える親血管を閉塞する、（v）血管内ステント留置術を含む多くの方法で行なわれる。
【０００４】
[04]血管内ステントは、血管狭窄又は動脈瘤の治療のために医療技術において良く知られている。ステントは、血管の潰れに抗する支持を与えるために血管又はルーメン内で径方向又は別な方向に拡張するプロテーゼである。これらの血管内ステントを供給するための方法も良く知られている。
【０００５】
[05]圧縮されたステントを血管内へ導入してステントを狭窄領域又は動脈瘤内に位置決めする従来の方法では、先端チップを有するガイドカテーテルが患者の脈管系内へ経皮的に導入される。ガイドカテーテルは、その先端チップが狭窄又は動脈瘤に最も近接するまで血管内へ押し進められる。第２の内部カテーテルの内部ルーメン内に位置されたガイドワイヤ及び上記内部カテーテルがガイドカテーテルの先端を通じて押し進められる。その後、ガイドワイヤは、圧縮ステントを支持するガイドワイヤの先端部が血管内の病変点に位置されるまで、ガイドカテーテルの先端から血管内へと押し進められる。圧縮ステントが病変に位置されると、ステントが血管を支持するようにステントを解放して拡張させることができる。
【発明の概要】
【０００６】
[06]本発明の態様は、管路内で閉塞装置を展開するシステム及び方法を含む。閉塞装置は、例えば首部再建術又はバルーン再形成によって管路内の動脈瘤を再形成するために使用できる。閉塞装置は、導入された材料が動脈瘤内から逃げないように動脈瘤内にマイクロ治療による（ＯＮＹＸ）などの粘性流体或いは良く知られたコイル等の閉塞材料を保持するバリアを形成するために使用できる。また、展開中、閉塞装置とカテーテルの内面との間に形成される摩擦に応じて閉塞装置の長さを調整することができる。これが行なわれると、処置を行なう医師により望まれるように閉塞装置の展開長及び周方向サイズを変えることができる。
【０００７】
[07]本発明の一態様は、閉塞装置を支持して展開するためのシステムを含む。システムは、導入シースと、閉塞装置を支持するためのアセンブリとを備える。アセンブリは、閉塞装置の第１の端部を受けるための閉塞装置保持部材を有する長尺柔軟部材と、閉塞装置の第２の端部と係合するための基端側に位置された保持部材と、長尺柔軟部材の一部を取り囲む支持体とを含んでおり、支持体上に閉塞装置を位置させることができる。
【０００８】
[08]本発明の他の態様は、閉塞装置を支持して展開するためのシステムを含む。システムは、閉塞装置を支持するためのアセンブリを備える。アセンブリは、柔軟な先端チップ部を含む長尺部材と、閉塞装置の第１の端部を受けるための保持部材と、長尺柔軟部材の一部を取り囲んで閉塞装置を支持するための支持体とを備える。
【０００９】
[09]本発明の更なる態様は、管路内に閉塞装置を導入して展開する方法を含む。方法は、ガイドワイヤアセンブリを支持する導入シースを含む長尺シースをカテーテル内へ導入するステップと、ガイドワイヤアセンブリをシースから押し出してカテーテル内へと押し進めるステップとを含む。また、方法は、カテーテルの端部を動脈瘤に最も近接させて位置決めするステップと、ガイドワイヤアセンブリの一部をカテーテルから押し出すステップと、動脈瘤の領域で閉塞装置を展開させつつガイドワイヤアセンブリの一部を回転させるステップとを含む。
【発明の詳細な説明】
【００１０】
[21]ここでは、断面が小さい部分を有し且つ非常に柔軟な閉塞装置供給アセンブリについて説明する。図１は、閉塞装置１００を受けて収容すると共に、個体の脈管構造内に位置させるために柔軟なマイクロカテーテル１に対して閉塞装置１００を供給する本発明の一態様に係る導入シース１０を示している。閉塞装置１００は、参照することによりその全体が本願に組み入れられる２００５年５月２５日に出願された（ＦＬＥＸＩＢＬＥ  ＶＡＳＣＵＬＡＲ  ＯＣＣＬＵＤＩＮＧ  ＤＥＶＩＣＥ）と題される同時係属の米国特許出願（代理人整理番号００６２５８．０００１０）に開示された実施形態を含むことができる。
【００１１】
[22]図１及び図２に示されるように、導入シース１０の先端１２は、マイクロカテーテル１のハブ２内に受けられるように寸法付けられて構成されている。ハブ２は、マイクロカテーテル１の基端に位置させることができ、或いは、マイクロカテーテル１の長さに沿って離間された他の場所に位置させることができる。マイクロカテーテル１は、患者の脈管構造を通じて導入して押し進めることができる任意の周知のマイクロカテーテルであってもよい。一実施形態において、マイクロカテーテルは０．０４７インチ以下の内径を有する。他の実施形態において、マイクロカテーテルは約０．０２７インチ〜約０．０２１インチの内径を有する。他に採りうる実施形態において、マイクロカテーテルは約０．０２５インチの内径を有することができる。しかしながら、カテーテル１は、０．０４７インチよりも大きい或いは０．０２１インチよりも小さい内径を有することができると考えられる。導入シース１０がカテーテルハブ２内に位置された後、患者の脈管構造内での閉塞装置１００の展開に備えて、閉塞装置１００を導入シース１０からマイクロカテーテル１内へ押し進めることができる。
【００１２】
[23]マイクロカテーテル１は、ハブ２に隣接して配置され或いはその長さに沿う他の位置に配置された少なくとも１つの流体導入ポート６を有していてもよい。ポート６がマイクロカテーテル１の先端と流体連通し、それにより、脈管構造内へ挿入する前に流体、例えば生理食塩水をマイクロカテーテル１へ通して、マイクロカテーテル１内に捕捉された空気又は残骸及びマイクロカテーテル内に位置されたガイドワイヤなどの任意の器具を洗い流すことができるのが好ましい。また、ポート６は、望み通りに脈管構造内に薬物又は流体を供給するために使用されてもよい。
【００１３】
[24]図３は、導入シース１０、導入シース１０内で移動できる細長い柔軟な供給ガイドワイヤアセンブリ２０、及び、閉塞装置１００を示している。図示のように、ガイドワイヤアセンブリ２０及びガイドワイヤアセンブリ２０により支持された閉塞装置１００はマイクロカテーテル１内に導入されていない。その代わり、図示のように、これらは導入シース１０内に位置されている。導入シース１０は、様々な熱可塑性プラスチック、例えばＰＴＦＥ、ＦＥＰ、ＨＤＰＥ、ＰＥＥＫなどから形成されても良く、場合によって、シースの内面又は隣接面上がＰＶＰなどの親水性材料又は何らかの他のプラスチックコーティングで覆われてもよい。また、所望の結果に応じて、いずれかの表面が異なる材料の様々な組み合わせでコーティングされてもよい。
【００１４】
[25]導入シース１０は、閉塞装置１００を覆う領域の近傍の壁に形成された排液ポート又はパージ穴（図示せず）を含んでいてもよい。単一の穴又は複数の穴、例えば３つの穴が導入シース１０に形成されてもよい。これらのパージ穴により、導入シース１０をカテーテルハブ２と接触した状態に位置させる前にシースをパージする際、例えば捕捉された空気又は残骸を除去するために、導入シース１０とガイドワイヤアセンブリ２０との間から流体、例えば生理食塩水を容易に逃がすことができる。
【００１５】
[26]図４に示されるように、ガイドワイヤアセンブリ２０は細長い柔軟なガイドワイヤ２１を含む。ガイドワイヤ２１の柔軟性により、ガイドワイヤアセンブリ２０は、必要に応じて湾曲して脈管構造の曲率に適合し、脈管構造内で閉塞装置１００を位置的に動かすことができる。ガイドワイヤ２１は、従来のガイドワイヤ材料によって形成されても良く、また、中実な断面を有していてもよい。或いは、ガイドワイヤ２１をハイポチューブによって形成することができる。いずれの実施形態においても、ガイドワイヤ２１は約０．０１０インチ〜約０．０２０インチの範囲の直径Ｄ５を有する。一実施形態において、ガイドワイヤ２１の最大直径は約０．０１６インチである。ガイドワイヤ２１のために使用される材料は、例えばニチノール等の超弾性金属を含む任意の周知のガイドワイヤ材料であってもよい。或いは、ガイドワイヤ２１は、ステンレス鋼などの金属によって形成することができる。ガイドワイヤの長さＬ４は約１２５ｃｍ〜１９０ｃｍであってもよい。一実施形態において、長さＬ４は約１７５ｃｍである。
【００１６】
[27]ガイドワイヤアセンブリ２０は、その全長に沿って同じ湾曲度合いを有することができる。他の実施形態において、ガイドワイヤアセンブリ２０は複数の長手方向セクションを有することができ、各長手方向セクションは異なる湾曲／剛性度合いを有する。ガイドワイヤアセンブリ２０における異なる湾曲度合いは、ガイドワイヤ２１の異なる長手方向セクションの中で異なる材料及び／又は厚さを使用して形成することができる。他の実施形態において、ガイドワイヤ２１の湾曲は、供給ガイドワイヤ２１中に形成された離間する切れ込み（図示せず）によって制御できる。これらの切れ込みは、長手方向及び／又は周方向に互いに離間させることができる。切れ込みは、供給ガイドワイヤ２１中に正確に形成することができる。供給ガイドワイヤ２１の異なるセクションは、これらの別個のセクションに異なる大きさの湾曲及び剛性を与えるために、異なる間隔及び異なる深さで形成された切れ込みを含むことができる。前述した任意の実施形態において、ガイドワイヤアセンブリ２０及びガイドワイヤ２１は、術者によってガイドワイヤアセンブリ２０に対して加えられるトルクに応答する。後述するように、ガイドワイヤ２１を介してガイドワイヤアセンブリ２０に対して加えられるトルクは、ガイドワイヤアセンブリ２０から閉塞装置１００を解放するために使用できる。
【００１７】
[28]供給ガイドワイヤ２１中に形成される切れ込みのサイズ及び形状は、大きな柔軟性又は小さな柔軟性を与えるように制御されてもよい。切れ込みの深さ或いは全体の形状を変えることなく切れ込みの幅を変えることができるため、供給ガイドワイヤ２１のねじれ強度に影響を与えることなく供給ガイドワイヤ２１の柔軟性が選択的に変えられてもよい。このように、供給ガイドワイヤ２１の柔軟性及びねじれ強度が選択的に且つ独立に変えられてもよい。
【００１８】
[29]切れ込みの長手方向に隣接する対は、横方向及び垂直方向に曲げを与えるため、供給ガイドワイヤ２１の周方向に互いに約９０度回転され得ることが有益である。しかしながら、切れ込みは、１つ以上の所望の方向で選択的曲げを与えるために所定の場所に配置されてもよい。無論、切れ込みは、全ての方向又は面内で均等に差異無く曲げを許容するように無作為に形成することができる。１つの実施形態において、これは、切れ込みを周方向に離間させることにより達成できる。
【００１９】
[30]柔軟な供給ガイドワイヤ２１は、同一の或いは異なる湾曲度合いを有する任意の数のセクションを含むことができる。例えば、柔軟な供給カイドワイヤ２１は２つ以上のセクションを含むことができる。図４に示される実施形態では、柔軟な供給ガイドワイヤ２１が３つのセクションを含み、各セクションが異なる直径を有する。各セクションは約０．００５インチ〜約０．０２５インチの直径を有することができる。一実施形態では、１つ以上のセクションの直径が約０．０１０インチ〜約０．０２０インチであってもよい。第１のセクション２２は、閉塞装置１００の位置と反対側に位置付けられる基端２３を含む。第１のセクション２２は、その長さに沿って一定の厚さを有することができる。或いは、第１のセクション２２は、その全長にわたって或いはその長さの一部のみにわたって先細る厚さ（直径）を有することができる。先細りの実施形態では、第１のセクション２２の厚さ（直径）が第２の移行セクション２４の方向で減少する。ガイドワイヤ２１が円形断面を有する実施形態では、厚さがセクションの直径である。
【００２０】
[31]第２の移行セクション２４は、第１のセクション２２と第３の先端セクション２６との間で延びている。第２のセクション２４は、第１のセクション２２の大きい直径から第３のセクション２６の小さい直径へと厚さが次第に小さくなっている。第１のセクション２２と同様に、第２のセクション２４は、その全長にわたって或いはその長さの一部のみにわたって先細ることができる。
【００２１】
[32]第３のセクション２６は、供給ガイドワイヤ２１の他のセクション２２，２４と比べて小さい厚さを有する。第３のセクション２６は、閉塞装置１００を支持する先細りの第２のセクション２４から離れて延びている。第３のセクション２６は、第２のセクション２４から供給ガイドワイヤ２１の先端２７へとその全長にわたって先細ることができる。或いは、第３のセクション２６は、一定の直径を有することができ、或いは、その長さの一部のみにわたって先細ることができる。そのような実施形態において、第３のセクション２６のテーパ部分は、第２のセクション２４から或いは第２のセクション２４から離間された１つの点から、供給ガイドワイヤ２１の先端２７から離間された１つの点へと延びることができる。供給ガイドワイヤ２１の３つのセクションについて説明されて図示されているが、供給ガイドワイヤ２１は３つ以上のセクションを含むことができる。また、これらの各セクションは、それらの全長にわたって或いはそれらの長さの一部のみにわたってそれらの厚さ（直径）を次第に小さくすることができる。開示された任意の実施形態において、供給ガイドワイヤ２１は、ニチノールなどの形状記憶合金から形成することができる。
【００２２】
[33]図４及び図５に示されるように、供給ガイドワイヤ２１の先端２７にはチップ２８及び柔軟なチップコイル２９が固定されている。図示のように、チップ２８は、チップコイル２９の先端をしっかりと受ける連続的なエンドキャップ又はカバーを含むことができる。湾曲制御は、チップコイル２９によって供給ガイドワイヤ２１の先端部に対して行なわれる。しかしながら、一実施形態では、チップ２８にコイル２９が無くてもよい。チップ２８は非経皮的な非外傷性端面を有する。図示の実施形態では、チップ２８が丸みを帯びた面を有する。他の実施形態において、チップ２８は、それが導入される管路を傷付けない他の非経皮的形状を有することができる。図４に示されるように、チップ２８は、ハウジング４５の内面の開口４６内でガイドワイヤ２１の先端をしっかりと受けるハウジング４５を含む。ガイドワイヤ２１は、任意の周知の手段によって開口内に固定することができる。
【００２３】
[34]図４に示されるように、チップコイル２９はガイドワイヤ２１の一部を取り囲んでいる。チップコイル２９は柔軟であり、それにより、チップ２８が患者内の管路に沿って押し進められてガイドワイヤ２１が曲がって脈管構造の曲がりくねった経路に追従する際、チップコイル２９が前記管路の経路に適合して追従するようになっている。図示のように、チップコイル２９は、基端２３へと向かってチップ２８から後方へ延びている。
【００２４】
[35]チップ２８及びコイル２９は約０．０１０インチ〜約０．０１８インチの外径Ｄ１を有する。一実施形態において、それらの外径Ｄ１は約０．０１４インチである。また、チップ２８及びコイル２９は約０．１ｃｍ〜約３．０ｃｍの長さＬ１を有する。一実施形態において、これらは約１．５ｃｍの全長Ｌ１を有する。
【００２５】
[36]図１及び図４に示されるように、チップコイル２９の基端３０は、保護コイル３５の先端２４でハウジング３２内に受けられる。ハウジング３２及び保護コイル３５は約０．０１８インチ〜約０．０３８インチの外径Ｄ２を有する。一実施形態において、それらの外径Ｄ２は約０．０２４インチである。ハウジング３２及び保護コイル３５は約０．０５ｃｍ〜約０．２ｃｍの長さＬ２を有する。一実施形態において、それらの全長Ｌ２は約０．１５ｃｍである。
【００２６】
[37]ハウジング３２は非経皮的な非外傷性形状を成している。例えば、図５に示されるように、ハウジング３２は略鈍的な外形を有する。また、ハウジング３２は、それが管路を通過する際に管路を開放／支持するように寸法付けることができる。また、ハウジング３２は、導入シース１０の内面から離間されるように寸法付けられた傾斜側壁を含むことができる。
【００２７】
[38]ハウジング３２及び保護コイル３５は、柔軟なガイドワイヤアセンブリ２０上における閉塞装置１００の位置を維持し且つ閉塞装置の供給及び脈管構造の管路内での展開前に閉塞装置１００を圧縮状態に保持するのに役立つ先端保持部材を形成する。図４に示されるように、保護コイル３５は、供給ガイドワイヤ２１の基端２３へ向けてハウジング３２から延びている。保護コイル３５は任意の周知の方法でハウジング３２に対して固定されている。第１の実施形態において、保護コイル３５はハウジング３２の外面に対して固定することができる。他の実施形態において、保護コイル３５は、ハウジング３２が保護コイル３５の先端５１を取り囲んで内部で受ける（図４）ようにハウジング３２の開口内に固定することができる。図３及び図４に示されるように、閉塞装置１００の先端１０２は基端５２内に保持されており、それにより、閉塞装置１００は、シース１０又はマイクロカテーテル１内に位置されている間において展開することができない。
【００２８】
[39]閉塞装置１００の基端において、バンパコイル６０及びキャップ６２は、基端２３へと向かう方向での閉塞装置１００のガイドワイヤ２１の長さに沿う横方向移動を防止する（図３参照）。バンパコイル６０及びキャップ６２は約０．０１８インチ〜約０．０３８インチの外径Ｄ４を有する。一実施形態において、それらの外径Ｄ４は約０．０２４インチである。キャップ６２は、閉塞装置１００の基端１０７と接触して、閉塞装置が保護コイル３５から離れるようにガイドワイヤ２１の長さに沿って移動することを防止する。バンパコイル６０は、保護コイル３５へ向かう方向でキャップ６２と接触してこれを押圧し、それにより、閉塞装置１００に対する付勢力を形成するスプリングの形態を成すことができる。この付勢力（圧力）は、閉塞装置１００の先端１０２と保護コイル３５との間の強固な被覆関係を維持するのに役立つ。供給ガイドワイヤ２１に沿って位置される任意のコイルと同様、バンパコイル６０は、半田付け、溶接、ＲＦ溶着、糊、及び／又は、他の周知の接着剤によって供給ガイドワイヤ２１に対して固定させることができる。
【００２９】
[40]図１０に示される他の実施形態では、バンパコイル６０が利用されていない。その代わり、閉塞装置１００の基端１０７は、導入シース１０又はマイクロカテーテル１内に位置される間、一組のバネ荷重アーム（ジョー）１４０によって所定位置に保持される。マイクロカテーテル1及び導入シース１０の内面は、アーム１４０の径方向の拡張を制限する。閉塞装置の基端がマイクロカテーテル１から抜け出ると、図１１に示されるように、アーム１４０がバネ開放して閉塞装置を解放する。
【００３０】
[41]他の実施形態では、バンパコイル６０及びキャップ６２を排除することができると共に、ガイドワイヤ２１のテーパ状のセクションによって閉塞装置１００の基端を保護コイル３５に対して所定位置に保持することができる。そのような実施形態において、このテーパ状のセクションの拡大された断面は、閉塞装置１００を供給ガイドワイヤ２１の長さに沿う所定位置に保持すると共に、基端２３へ向かう方向での閉塞装置１００の移動を防止するために使用できる。
【００３１】
[42]図４に示されるように、ガイドワイヤアセンブリ２０は閉塞装置１００のための支持体７０を含む。第１の実施形態において、支持体７０は、閉塞装置１００がガイドワイヤアセンブリ２０上に装填される際に閉塞装置１００の内面と接触するように寸法付けられる供給ガイドワイヤ２１の外面を含むことができる。この実施形態において、供給ガイドワイヤ２１の外面は、閉塞装置１００を支持すると共に、閉塞装置をいつでも展開できる状態に維持する。図に示される他の実施形態において、支持体７０は、保護コイル３５の基端側の位置からバンパコイル６０へ向かって後方へ延びる中間コイル７０を備える。図１に示されるように、中間コイル７０は、閉塞装置１００の下側で且つ供給ガイドワイヤ２１上にわたって延びている。中間コイル７０は、供給ガイドワイヤ２１の１つ以上のセクションと同一の広がりを持つことができる。例えば、中間コイル７０は、供給ガイドワイヤ２１の第２のセクションだけと共に延在することができ、或いは、供給ガイドワイヤ２１の第３のセクション２６及び第２のセクション２４の両方の一部分に沿って延在することができる。
【００３２】
[43]中間コイル７０は、閉塞装置を支持して閉塞装置１００をいつでも展開できる状態に維持するのに役立つように、閉塞装置１００の内面と接触するように寸法付けられる外側へ延びる面をガイドワイヤアセンブリ２０に対して与える。ここで説明して図示した他のコイルと同様、中間コイル７０は、そのコイル形態により、供給ガイドワイヤ２１が患者の脈管構造を通じて押し進められる際に供給ガイドワイヤ２１と共に湾曲できる。中間コイル７０は、閉塞装置１００の下側の供給ガイドワイヤ２１のテーパとは無関係に、閉塞装置１００によって覆われる供給ガイドワイヤ２１の長さに沿って一定の直径を与える。中間コイル７０は供給ガイドワイヤ２１をテーパ状にすることができ、それにより、供給ガイドワイヤ２１は、閉塞装置１００に対して与えられる支持に支障を来たすことなく、脈管構造の経路に追従するために必要な柔軟性を得ることができる。中間コイル７０は、閉塞装置１００が展開される前に供給ガイドワイヤ２１のテーパにかかわらず閉塞装置１００に対して一定の支持を与える。また、閉塞装置１００の圧縮状態時の最小直径は、中間コイル７０のサイズによっても制御される。また、中間コイル７０の直径は、閉塞装置１００の展開前に閉塞装置１００とマイクロカテーテル１の内壁との間に適切な間隔（間隔が無いことも含む）が形成されるように選択することができる。また、中間コイル７０は、閉塞装置の展開中に閉塞装置１００を供給ガイドワイヤ２１から離れるように付勢するべく使用することもできる。
【００３３】
[44]いずれの実施形態においても、支持体７０は約０．０１０インチ〜約０．０１８インチの外径Ｄ３を有することができる。一実施形態において、外径Ｄ３は約０．０１４インチである。また、支持体７０は約２．０ｃｍ〜約３０ｃｍの長さＬ３を有することもできる。一実施形態において、支持体７０の長さＬ３は約７ｃｍである。
【００３４】
[45]また、閉塞装置１００は、ガイドワイヤアセンブリ２０の長さに沿って位置された無線を透過しない随意的なマーカバンド対間で中間コイル７０上に配置されてもよい。或いは、保護コイル３５、バンパコイル６０、及び／又は、中間コイル７０が無線不透過マーカを含むことができる。他の実施形態では、ガイドワイヤアセンブリ２０が１つの無線不透過マーカだけを含んでいてもよい。無線不透過マーカの使用により、ガイドワイヤアセンブリ２０及び閉塞装置１００を脈管構造内に配置している最中に視覚化することができる。そのような視覚化技術は、蛍光透視、Ｘ線撮影、超音波検査、磁気共鳴イメージング等の従来の方法を含んでいてもよい。
【００３５】
[46]閉塞装置１００は、以下の方法及びその変形にしたがって供給して動脈瘤Ａの部位で展開させることができる。閉塞装置１００の供給は、処置を必要する部位にマイクロカテーテル１が達するまでマイクロカテーテル１を脈管構造内へ導入することを含む。マイクロカテーテル１は、従来の血管ガイドワイヤ（図示せず）上にわたって或いは当該血管ガイドワイヤと同時に押し進められるなど、従来の技術を使用して脈管構造内へ導入される。マイクロカテーテル１の位置決めは、マイクロカテーテルがガイドワイヤアセンブリ２０を受ける前又はマイクロカテーテルがガイドワイヤアセンブリ２０を収容している間に行なうことができる。脈管構造内におけるマイクロカテーテル１の位置は、マイクロカテーテル１上又はマイクロカテーテル１内に位置された無線不透過マーカを識別することにより決定することができる。
【００３６】
[47]マイクロカテーテル１が所望の場所に位置された後、ガイドワイヤが除去され、図１に示されるように導入シース１０の先端がマイクロカテーテル１の基端内へ挿入される。一実施形態において、導入シース１０の先端は、マイクロカテーテル１の基端にあるハブ２を通じて導入される。導入シース１０は、導入シース１０の先端がマイクロカテーテル１内に楔留めされるまでマイクロカテーテル１内に押し進められる。この位置では、導入シース１０をマイクロカテーテル１内に更に押し進めることができない。その後、導入シース１０は、閉塞装置１００が導入シース１０から押し出されてマイクロカテーテル１内に押し込まれるまで閉塞装置１００を支持する供給ガイドワイヤアセンブリ２０が導入シース１０を通じて押し進められる間、強固に保持される。
【００３７】
[48]ガイドワイヤアセンブリ２０及び閉塞装置１００は、チップコイル２９がマイクロカテーテル１の先端に最も近接するまでマイクロカテーテル１を通じて押し進められる。この時点で、マイクロカテーテル１及びガイドワイヤアセンブリ２０の位置を確認することができる。その後、ガイドワイヤアセンブリ２０は、マイクロカテーテル１から押し出されると共に患者の脈管構造内に押し込まれ、それにより、閉塞装置１００の基端１０７がマイクロカテーテル１の先端の外側に被処置領域に隣接して位置される。これらのステップ中の任意の時点で、閉塞装置１００が正確に所望の場所で展開されるであろうことを決定するために閉塞装置１００の位置をチェックすることができる。これは、前述した無線不透過マーカを使用することにより達成できる。
【００３８】
[49]閉塞装置１００の先端１０２がマイクロカテーテル１の外側に位置されると、基端１０７は、先端１０２が保護コイル３５によって覆われたままの状態の間、脈管構造内で図７に示される矢印の方向に拡張し始める。閉塞装置１００が適切な位置にある場合、閉塞装置１００の先端１０２が保護コイル３５から離れるように移動して脈管構造内の所望の場所で拡張するまで供給ガイドワイヤ２１が回転される（図８参照）。供給ガイドワイヤ２１は、閉塞装置１００を展開させるために必要に応じて時計周り或いは反時計周りに回転させることができる。一実施形態において、供給ガイドワイヤ２１は、例えば、いずれかの方向或いは両方向で２〜１０回転にわたって回転されてもよい。他の実施例において、閉塞装置は、５回転未満にわたって、例えば３〜５回転にわたって時計周りに供給ガイドワイヤ２１を回転させることにより展開されてもよい。閉塞装置１００が展開された後、供給ガイドワイヤ２１をマイクロカテーテル１００内に引き込んで身体から除去することができる。
【００３９】
[50]図９に示される代わりの或いは更なる展開ステップでは、閉塞装置１００とマイクロカテーテル１の内面との間の摩擦により、閉塞装置１００の先端が保護コイル３５から分離される。この摩擦は、閉塞装置１００の開放によって、及び／又は、中間コイル７０がマイクロカテーテル１の内面へ向けて閉塞装置１００を付勢することによって形成することができる。マイクロカテーテル１と閉塞装置１００との間の摩擦は、閉塞装置１００の展開を補助する。展開中に閉塞装置１００が開放せず保護コイル３５から離間しない場合には、閉塞装置１００とマイクロカテーテル１の内面との間の摩擦により、供給ガイドワイヤ２１及びマイクロカテーテル１が互いに対して移動するため、閉塞装置１００が保護コイル３５から離れるように移動する。その後、供給ガイドワイヤ２１を回転させて閉塞装置１００を管路内で展開させることができる。
【００４０】
[51]閉塞装置１００が動脈瘤Ａの首部を閉塞するために径方向に自己拡張して管路の壁と穏やかであるが確実に接触した後、マイクロカテーテル１の全体が患者の身体から除去されてもよい。或いは、更なる器具の挿入ができるように或いは処置部位の近傍に薬物を塗布できるように、マイクロカテーテル１が脈管構造内の所定の位置に残されてもよい。
【００４１】
[52]本発明では周知の材料を使用することができる。閉塞装置１００及びガイドワイヤ２１と共に使用できる１つの一般的な材料は、ニチノール、すなわち、低温で成形でき、アニールでき、変形できると共に、身体内における体温での展開時など加熱によりその当初の形状まで回復させることができるニッケル−チタン形状記憶合金である。無線不透過マーカは、視覚化を補助するためにプラチナなどの金属又はビスマスやタングステンを含有するドーププラスチックを含む無線不透過材料によって形成することができる。
【００４２】
[53]本明細書中で説明した装置及び方法は、脈管系内での展開及び使用に限定されず、任意の数の更なる処置用途を含んでもよい。他の処置部位としては、身体臓器などの身体の領域又は部位を挙げることができる。本発明を実施するための前述した装置及び方法のそれぞれの変更、及び、当業者にとって明らかな本発明の態様の変形は、請求項の範囲内に入るものである。また、要素、コンポーネント、又は、方法ステップは、これらが請求項中に明示的に列挙されているかどうかにかかわらず、公衆にささげられるように意図されていない。
【図面の簡単な説明】
【００４３】
【図１】本発明の一態様に係る閉塞装置及び閉塞装置供給アセンブリの断面である。
【図２】図１に示される導入シース及びカテーテルを示している。
【図３】閉塞装置が装填されたガイドワイヤアセンブリを支持する図２の導入シースの部分断面図である。
【図４】図３に示されるガイドワイヤアセンブリの断面である。
【図５】図４のガイドワイヤアセンブリの概略図である。
【図６】図４のガイドワイヤアセンブリの第２の概略図である。
【図７】カテーテルの外側に位置されたガイドワイヤアセンブリの一部及び閉塞装置を示すと共に、閉塞装置の基端がどのように管路内で展開し始めるのかを示している。
【図８】閉塞装置を展開する方法における１つのステップを示している。
【図９】本発明の一態様に係る閉塞装置の展開を示している。
【図１０】本発明の他の実施形態に係るガイドワイヤアセンブリの概略図である。
【図１１】図１０のガイドワイヤアセンブリによって展開された後における展開された閉塞装置の概略図である。
【図１】
2011147791.tif 000003
【図２】
2011147791.tif 000004
【図３】
2011147791.tif 000005
【図４】
2011147791.tif 000006
【図５】
2011147791.tif 000007
【図６】
2011147791.tif 000008
【図７】
2011147791.tif 000009
【図８】
2011147791.tif 000010
【図９】
2011147791.tif 000011
【図１０】
2011147791.tif 000012
【図１１】
2011147791.tif 000013
【外国語明細書】
2011147791000001.pdf